(57)【要約】　　　（修正有）【課題】従来の干支時計の時間単位より細かい時間へ分割し、その細かい時間へ六十干支の記号を配当する。【解決手段】２４時間を文字盤上において１２分割した干支時計において、１２分割されたそれぞれの２時間を分の単位で１２分割して六十干支を順に割り当てた。また、１２０分を文字盤上において１２分割した干支時計において、１２分割されたそれぞれの１０分を秒の単位で１２分割して六十干支を順に割り当てた。【選択図】　　　図１
0003096886.tif 000002
【実用新案登録請求の範囲】
【請求項１】
２４時間を文字盤上において１２分割した干支時計において、１２分割されたそれぞれの２時間を分の単位で１２分割して六十干支を順に割り当てたことを特徴とする干支時計。
【請求項２】
請求項１に記載の干支時計おいて、２３：００を１日の初めとして、分の単位毎に六十干支が循環的に割り当てられていることを特徴とする干支時計。
【請求項３】
１２０分を文字盤上において１２分割した干支時計において、１２分割されたそれぞれの１０分を秒の単位で１２分割して六十干支を順に割り当てたことを特徴とする干支時計。
【考案の詳細な説明】
【０００１】
【産業上の利用分野】
本考案は干支時計に関し、より詳しくは、時、分、秒のような現代の時間感覚に近づけるために六十干支の記号を配当した干支時計に関するものである。
【０００２】
【従来の技術】
現在、易学において、一般的に使用されている干支時計は、年、月、日のそれぞれに六十干支の記号が配当されている。六十干支とは、十干と十二支とを組み合わせたものである。木・火・土・金・水の五行を、それぞれ陽の気を表す「え」と陰の気を表す「と」とに分けたものが十干である。すなわち、甲（きのえ）・乙（きのと）・丙（ひのえ）・丁（ひのと）・戊（つちのえ）・己（つちのと）・庚（かのえ）・辛（かのと）・壬（みずのえ）・癸（みずのと）があり、これに十二支、すなわち、子（ね）・丑（うし）・寅（とら）・卯（う）・辰（たつ）・巳（み）・午（うま）・未（ひつじ）・申（さる）・酉（とり）・戌（いぬ）・亥（い）を順に割り当て、甲子（きのえね）・乙丑（きのとうし）のように呼んでいる。これらの組み合わせで、年月・時刻・方位などを表している。
【０００３】
これら六十干支は、東洋の国であらゆる統計をとる為に考え出された十進法、十二進法、六十進法の統計の分割方法である。
【０００４】
具体的には、図４に示すように、１日２４時間を十二等分している。そして、子の刻が一日の始まりである（太陽がまったく見えない、太陽の光が無い時刻で、方位は北を指す）。
【０００５】
子の刻は、現在の時間にすると夜中の午後１１時から午前１時（１２等分された最小時間である２時間）であり、子の時刻で、その２時間の中心が０時、つまり夜中である午後１２時である。
【０００６】
【考案が解決しようとする課題】
しかし、時刻に関して、日以下の時間の最小単位が２時間と定められている。そのため、それ以下の時間の分割法も記号の定め方も提案されていなかった。そして、現代の時間感覚により近づけることにより、人の運勢や行動、更に、東洋の統計学の統計等を奥深く研究するために干支の時間の細分化が望まれていた。
【０００７】
本考案は、従来の易学における干支時計にはなかった、一定の法則による細かい時間への分割と、その六十干支の記号の配当を可能にすることを目的とする。
【０００８】
【課題を解決するための手段】
（１）上記課題を解決するために、本考案に係る干支時計は、２４時間を文字盤上において１２分割した干支時計において、１２分割されたそれぞれの２時間を分の単位で１２分割して六十干支を順に割り当てたことを特徴とする。
【０００９】
（２）また、（１）に記載の干支時計おいて、２３：００を１日の初めとして、分の単位毎に六十干支が循環的に割り当てられていることを特徴とする。
【００１０】
（３）さらに、１２０分を文字盤上において１２分割した干支時計において、１２分割されたそれぞれの１０分を秒の単位で１２分割して六十干支を順に割り当てたことを特徴とする。
【００１１】
以上のような構成により、一定の法則による細かい時間へ分割し、その六十干支の記号を配当した干支時計を提供することを目的とするものである。
【００１２】
【考案の実施の形態】
〔第１の実施形態〕
以下、本考案について図面を参照して説明する。図１は、本考案に係る干支時計説明図である。この図１は、２４時間と１２０分と１０分の構造を同じにしたことを示す図である。
【００１３】
この図では、四角形の各一辺をそれぞれ３等分（計１２等分）して、子、卯、午、酉の部分がそれぞれ四角形となり、その他の部分が３角形となるように、工夫が凝らされている（子、卯、午、酉は、それぞれ北、東、南、西の方位を指す）。
【００１４】
子（ね）、卯（うし）、午（うま）、酉（とり）の時刻は、それぞれ２３時から１時、５時から７時、１１時から１３時、１７時から１９時である。
【００１５】
丑（うし）、寅（とら）、辰（たつ）、巳（み）、未（ひつじ）、申（さる）、戌（いぬ）、亥（い）の時刻は、それぞれ図に示すように、１時から３時、３時から５時、７時から９時、９時から１１時、１３時から１５時、１５時から１７時、１９時から２１時、２１時から２３時を指す。
【００１６】
そして、２４時間の構造の外側に、１２０分の構造が示されている。そして、２４時間の構造と同じく１２等分されている。
【００１７】
子（ね）、卯（うし）、午（うま）、酉（とり）の分は、それぞれ０分から１０分、３０分から４０分、６０分から７０分、９０分から１００分である。
【００１８】
丑（うし）、寅（とら）、辰（たつ）、巳（み）、未（ひつじ）、申（さる）、戌（いぬ）、亥（い）の分は、それぞれ図に示すように、１０分から２０分、２０分から３０分、４０分から５０分、５０分から６０分、７０分から８０分、８０分から９０分、１００分から１１０分、１１０分から０分を指す。
【００１９】
そして、１２０分の構造の外側に、１０分の構造が示されている。そして、１２０分の構造と同じく１２等分されている。
【００２０】
子（ね）、卯（うし）、午（うま）、酉（とり）の秒は、それぞれ０秒から５０秒、２分３０秒から３分２０秒、５分から５分５０秒、７分３０秒から８分２０秒である。
【００２１】
丑（うし）、寅（とら）、辰（たつ）、巳（み）、未（ひつじ）、申（さる）、戌（いぬ）、亥（い）の秒は、それぞれ図に示すように、５０秒から１分４０秒、１分４０秒から２分３０秒、３分２０秒から４分１０秒、４分１０秒から５分、５分５０秒から６分４０秒、６分４０秒から７分３０秒、８分２０秒から９分１０秒、９分１０秒から０秒を指す。
【００２２】
このように、干支時計説明図では、２４時間を１２分割した従来の干支時計の最小時間である２時間（１２０分）を分の単位で１２分割（１０分）し、更に、１２分割された１０分（６００秒）を秒の単位で１２分割（５０秒）している。
【００２３】
ここで、１日の始まり（子の刻の始まり）が２３時（午後１１時）であることから、現代の時間では、０時から１日が始まるため０時のところに０分、０秒が割り当てられるのが当然のように感じるが、易学では時間に限らず物事の始まり総てが子（ね）から始まる。
【００２４】
そのため、本考案の干支時計において、干支時計説明図における２３時０分０秒（子の刻の始まり）が１日の始まりとなる。
【００２５】
従来の干支時計の最小単位２時間（２４÷１２＝２）をそのまま１２分割すると０．１６６６・・・となり割り切れないため、本考案では上述のように時間単位を切り替えながら１２分割している。
【００２６】
図２は、２３時０分０秒を現代の時計表示の０時０分０秒の位置に合わせた干支時計を示す図である。図２は、分の単位までを示す干支時計である。
【００２７】
図２において、十干が甲（きのえ）の日である場合で説明する。甲日（および己日）は、図２の一番外側に示される甲子、乙丑、丙寅、丁卯、戊辰、己巳、庚午、辛未、壬申、癸酉、甲戌、乙亥の刻（１２分割された２時間単位を指す）で示される２４時間である。
【００２８】
次に、最小単位であった２時間を１２分割した分の単位を示す。初めに、２３時０分から２３時１０分にあたるのが、甲日（きのえび）の甲子（きのえね）の刻の甲子（きのえね）の分である。
【００２９】
同様に、甲子の刻において、乙丑の分（２３時１０分から２３時２０分）、丙寅の分（２３時２０分から２３時３０分）、丁卯の分（２３時３０分から２３時４０分）、戊辰の分（２３時４０分から２３時５０分）、己巳の分（２３時５０分から０時０分）、庚午の分（０時０分から０時１０分）、辛未の分（０時１０分から０時２０分）、壬申の分（０時２０分から０時３０分）、癸酉の分（０時３０分から０時４０分）、甲戌の分（０時４０分から０時５０分）、乙亥の分（０時５０分から１時０分）となる。
【００３０】
ここで、分の単位は、（１）甲子、（２）乙丑、（３）丙寅、（４）丁卯、（５）戊辰、（６）己巳、（７）庚午、（８）辛未、（９）壬申、（１０）癸酉、（１１）甲戌、（１２）乙亥、（１３）丙子、（１４）丁丑、（１５）戊寅、（１６）己卯、（１７）庚辰、（１８）辛巳、（１９）壬午、（２０）癸未、（２１）甲申、（２２）乙酉、（２３）丙戌、（２４）丁亥、（２５）戊子、（２６）己丑、（２７）庚寅、（２８）辛卯、（２９）壬辰、（３０）癸巳、（３１）甲午、（３２）乙未、（３３）丙申、（３４）丁酉、（３５）戊戌、（３６）己亥、（３７）庚子、（３８）辛丑、（３９）壬寅、（４０）癸卯、（４１）甲辰、（４２）乙巳、（４３）丙午、（４４）丁未、（４５）戊申、（４６）己酉、（４７）庚戌、（４８）辛亥、（４９）壬子、（５０）癸丑、（５１）甲寅、（５２）乙卯、（５３）丙辰、（５４）丁巳、（５５）戊午、（５６）己未、（５７）庚申、（５８）辛酉、（５９）壬戌、（６０）癸亥の順で表される。癸亥の分の次は、甲子の分になる。
【００３１】
即ち、１日２４時間を１２分割した最小単位である２時間を１２分割したので、１日が１０分単位で１４４の分の単位が必要となる。
【００３２】
つまり、上述の分の単位は、六十干支が割り当てられているため、１日は六十干支が２順して、２４番目の丁亥の分で、甲日（および己日）の１日が終わる。
【００３３】
そして、丁亥の分は、乙（きのと）の日の戊子の分（２３時０分から２３時１０分）に続く。乙日（および庚日）は、図２の外側から２番目に示される丙子、丁丑、戊寅、己卯、庚辰、辛巳、壬午、癸未、甲申、乙酉、丙戌、丁亥の刻（１２分割された２時間単位を指す）で示される２４時間である。
【００３４】
戊子の分以降については、上述の甲日（きのえび）の甲子（きのえね）の刻の甲子（きのえね）の分の例と同様に、１０分単位で時刻の表示がされているので、説明を省略する。
【００３５】
２日の終わりは、甲日の甲子の刻の甲子の分から数えると、１４４（１日分）の分の単位が２日分であるので、即ち、１０分単位で２８８の分の単位が必要となる。
【００３６】
つまり、上述の分の単位は、六十干支が割り当てられているため、１日は六十干支が４順して、４８番目の辛亥の分で、乙日（および庚日）の１日が終わる。
【００３７】
以降同様にして、丙日（及び辛日）は、戊子、己丑、庚寅、辛卯、壬辰、癸巳、甲午、乙未、丙申、丁酉、戊戌、己亥の刻で表される。丁日（及び壬日）は、庚子、辛丑、壬寅、癸卯、甲辰、乙巳、丙午、丁未、戊申、己酉、庚戌、辛亥の刻で表される。最後に、戊日（及び癸日）が、壬子、癸丑、甲寅、乙卯、丙辰、丁巳、戊午、己未、庚申、辛酉、壬戌、癸亥の刻で表される。
【００３８】
このように、戊日（及び癸日）まで、１０分の単位が５日分で７２０の分の単位となる。甲日の甲子の刻の甲子の分から六十干支を順に割り当ててきて、戊日（及び癸日）の終わりが６０番目の癸亥となる。即ち、５日で分の単位で使用された六十干支が１２順する。
【００３９】
以上述べたように、図２の干支時計は、最小単位時間を１０分とした干支時計を提供する。
【００４０】
図３は、秒の単位を示す干支時計である。図２において、最小単位が１０分の干支時計について説明をした。例えば、図３は、図２の甲日の甲子の刻の甲子の分における甲子の分（１０分）を細かい時間に分割している。
【００４１】
図３において、十干が甲（きのえ）の日である場合で説明する。図３の一番外側に示される甲子、乙丑、丙寅、丁卯、戊辰、己巳、庚午、辛未、壬申、癸酉、甲戌、乙亥の分（１２分割された１０分間単位を指す）で示される１２０分は、甲日の甲子の刻を表す。
【００４２】
次に、図２で最小単位であった１０分を１２分割した秒の単位を示す。初めに、０分から０分５０秒にあたるのが、甲日（きのえび）の甲子（きのえね）の刻の甲子（きのえね）の分の甲子（きのえね）の秒である。図２で甲子（きのえね）の刻の部分が、図３で甲子（きのえね）の分である。
【００４３】
同様に、甲子の分において、乙丑の秒（５０秒から１００秒）、丙寅の秒（１００秒から１５０秒）、丁卯の秒（１５０秒から２００秒）、戊辰の秒（２００秒から２５０秒）、己巳の秒（２５０秒から３００秒）、庚午の秒（３００秒から３５０秒）、辛未の秒（３５０秒から４００秒）、壬申の秒（４００秒から４５０秒）、癸酉の秒（４５０秒から５００秒）、甲戌の秒（５００秒から５５０秒）、乙亥の秒（５５０秒から６００秒）となる。
【００４４】
ここで、秒の単位は、（１）甲子、（２）乙丑、（３）丙寅、（４）丁卯、（５）戊辰、（６）己巳、（７）庚午、（８）辛未、（９）壬申、（１０）癸酉、（１１）甲戌、（１２）乙亥、（１３）丙子、（１４）丁丑、（１５）戊寅、（１６）己卯、（１７）庚辰、（１８）辛巳、（１９）壬午、（２０）癸未、（２１）甲申、（２２）乙酉、（２３）丙戌、（２４）丁亥、（２５）戊子、（２６）己丑、（２７）庚寅、（２８）辛卯、（２９）壬辰、（３０）癸巳、（３１）甲午、（３２）乙未、（３３）丙申、（３４）丁酉、（３５）戊戌、（３６）己亥、（３７）庚子、（３８）辛丑、（３９）壬寅、（４０）癸卯、（４１）甲辰、（４２）乙巳、（４３）丙午、（４４）丁未、（４５）戊申、（４６）己酉、（４７）庚戌、（４８）辛亥、（４９）壬子、（５０）癸丑、（５１）甲寅、（５２）乙卯、（５３）丙辰、（５４）丁巳、（５５）戊午、（５６）己未、（５７）庚申、（５８）辛酉、（５９）壬戌、（６０）癸亥の順で表される。癸亥の秒の次は、甲子の秒になる。
【００４５】
即ち、２時間を１２分割した１０分を更に１２分割したので、２時間（１２０分）は５０秒単位で１４４の秒の単位が必要となる。
【００４６】
つまり、上述の秒の単位は、六十干支が割り当てられているため、２時間は六十干支が２順して、２４番目の丁亥の秒で、甲子の刻が終わる。
【００４７】
そして、丁亥の秒は、乙丑の刻の戊子の秒（０分から５０秒）に続く。図２の分の単位まで表す干支時計では、外側から２番目に移動した際に乙日（および庚日）になったが、秒の単位まで表す図３の干支時計においては、甲日のままである。
【００４８】
即ち、図２の外側から２番目に示される丙子、丁丑、戊寅、己卯、庚辰、辛巳、壬午、癸未、甲申、乙酉、丙戌、丁亥の分（１２分割された１０分単位を指す）で示される１２０分は、甲日の乙丑の刻である。
【００４９】
戊子の秒以降については、上述の甲日（きのえび）の甲子（きのえね）の分の甲子（きのえね）の秒の例と同様に、５０秒単位で時刻の表示がされているので、説明を省略する。
【００５０】
甲日の甲子の刻、甲子の分、甲子の秒から数えると、１日は１４４の秒の単位が１２単位分（２４時間分）であるので、即ち、５０秒単位で１７２８の秒の単位が必要となる。
【００５１】
つまり、上述の秒の単位は六十干支が割り当てられているため、１日は六十干支が２８順して、４８番目の辛亥の秒で、甲日の１日が終わる。
【００５２】
このように、本考案により、現代社会での人間の行動や現象の判断のために、複雑化した社会と同様に一層の緻密さに応じることが可能となる。
【００５３】
更に、易学の干支は、東洋の国の時をあらわす記号でもあり、人間の行動や体の病気など、人間を分析していくための統計学問である。そこで、何百年も前もの形のまま２時間単位の記号や分類を細分化することにより、人間を分析する学問として一層現代の世の中の動きに沿った細かい分類の計算をすることができる。
【００５４】
今後、細かい時間の判断が可能になることにより、何年何月何日何時何分何秒の危険を知ることができる。そして、更に、奥深い人間の行動変化の研究が可能となる。
【００５５】
また、時間の確認や時間の流れを知ることによって、個個の１日の運勢の変化を細かく判断していくことが可能になる。
【００５６】
例えば、現代の社会では、事件や事故と常に背中合わせである。しかし、そのような事件や事故は、何時でもなく何分でもなく何秒という一瞬が最も危険な時間である。そのような最小の危険を知っていくことで、ミスやトラブルの回避方法が研究可能となる。
【００５７】
更に、時間を細分化したことにより、易学の今後の統計研究においても、また、一人一人の運勢の危険な時を伝える作業も簡単明確になると考えられる。
【００５８】
【考案の効果】
以上説明したように、本考案に係る干支時計によれば、一定の法則による細かい時間へ分割し、その六十干支の記号を配当した干支時計を提供できる。
【図面の簡単な説明】
【図１】本考案に係る一実施形態に係わる干支時計の全体構成を示す図である。
【図２】本考案に係る一実施形態に係わる最小時間単位が１０分である干支時計の構成を示す図である。
【図３】本考案に係る一実施形態に係わる最小時間単位が５０秒である干支時計の構成を示す図である。
【図４】従来の１２支の方位と時刻を示す図である。
【図１】
0003096886.tif 000003
【図２】
0003096886.tif 000004
【図３】
0003096886.tif 000005
【図４】
0003096886.tif 000006
【手続補正書】
【提出日】平成15年5月9日(2003.5.9)
【手続補正１】
【補正対象書類名】明細書
【補正対象項目名】実用新案登録請求の範囲
【補正方法】変更
【補正の内容】
【実用新案登録請求の範囲】
【請求項１】
２４時間を２時間毎に１２分割し、この１２分割したそれぞれの２時間をさらに１０分毎に１２分割した文字盤を備え、この１０分毎に分割した文字盤の部分に、六十干支を順に割り当てたことを特徴とする干支時計。
【請求項２】
請求項１に記載の干支時計において、文字盤の２３時００分を１日の初めとし、１０分毎に分割した文字盤の部分に、六十干支を順に割り当てたことを特徴とする干支時計。
【請求項３】
１２０分を１０分毎に１２分割し、この１２分割したそれぞれの１０分をさらに５０秒毎に１２分割した文字盤を備え、この５０秒毎に分割した部分に、六十干支を順に割り当てたことを特徴とする干支時計。
【手続補正２】
【補正対象書類名】明細書
【補正対象項目名】０００８
【補正方法】変更
【補正の内容】
【０００８】
【課題を解決するための手段】
（１）上記課題を解決するために、本考案に係る干支時計は、２４時間を２時間毎に１２分割し、この１２分割したそれぞれの２時間をさらに１０分毎に１２分割した文字盤を備え、この１０分毎に分割した文字盤の部分に、六十干支を順に割り当てたことを特徴とする。


【手続補正３】
【補正対象書類名】明細書
【補正対象項目名】０００９
【補正方法】変更
【補正の内容】
【０００９】
（２）また、（１）に記載の干支時計において、文字盤の２３時００分を１日の初めとし、１０分毎に分割した文字盤の部分に、六十干支を順に割り当てたことを特徴とする干支時計。


【手続補正４】
【補正対象書類名】明細書
【補正対象項目名】００１０
【補正方法】変更
【補正の内容】
【００１０】
（３）さらに、本考案に係る干支時計は、１２０分を１０分毎に１２分割し、この１２分割したそれぞれの１０分をさらに５０秒毎に１２分割した文字盤を備え、この５０秒毎に分割した部分に、六十干支を順に割り当てたことを特徴とする。